(57)【要約】【課題】本発明は、原稿の読み取り中に読み取りの設定を変更すべきと判断した場合でも、読み取りの設定を変更しないで読み取りを継続し、読み取りにかかる時間を短縮することができる読取装置を提供することを目的とする。【解決手段】ＣＰＵ１０１は、解像度決定処理において、解像度を低解像度にすることが決定され、高解像度から低解像度に解像度を変更すると判断した場合（Ｓ１０３：ＹＥＳ）、解析用読取範囲Ｌを読み取った後の解析終了位置Ｋから読取終了位置Ｅまでの残りの部分を高解像度で原稿読取部４０に読み取らせるＡルートと、解析終了位置Ｋから読取開始位置Ｓに戻り、低解像度で読取開始位置Ｓから読取終了位置Ｅまで原稿読取部４０に読み取らせるＢルートと、のどちらが読み取りにかかる読取時間が短くなるか判断する（Ｓ１０４）。【選択図】        図５
2012124734.tif 000002
【特許請求の範囲】
【請求項１】
原稿副走査方向に移動して原稿を読み取り、読取データを生成する読取部と、
前記読取部の低速移動速度が必要な低速読取条件と、前記低速移動よりも速い前記読取部の移動が可能な高速読取条件とが設定可能な読取条件設定部と、
前記読取条件設定部により前記低速読取条件が設定された状態で、前記読取部に原稿の一部を読み取らせ、生成された読取データに基づいて前記高速読取条件の適用が可能か否か判断する判断部と、
前記判断部により前記高速読取条件の適用が可能であると判断された場合において、前記低速読取条件で読み取られた原稿の一部を前記高速読取条件で読み取ったときに得られる読取データを取得するとともに原稿のまだ読み取られていない部分を前記高速読取条件で読み取る第１処理と、原稿のまだ読み取られていない部分を前記低速読取条件で読み取る第２処理とのうち、処理時間の短い方の処理を選択して実行する処理選択部とを備えることを特徴とする読取装置。
【請求項２】
前記処理選択部は、原稿の一部として前記低速読取条件で読み取られた原稿の範囲が所定範囲を超えた場合に、前記第１処理よりも前記第２処理にかかる時間が短いと判断することを特徴とする請求項１に記載の読取装置。
【請求項３】
前記読取条件設定部は、読取条件として解像度を設定可能であり、前記低速読取条件は所定値以上の高解像度を含み、前記高速読取条件は前記所定値未満の低解像度を含むことを特徴とする請求項１又は請求項２に記載の読取装置。
【請求項４】
前記読取条件設定部は、読取条件として複数色読取と単色読取とを設定可能であり、前記低速読取条件は前記複数色読取を含み、前記高速読取条件は前記単色読取を含むことを特徴とする請求項１〜３のいずれかに記載の読取装置。
【請求項５】
前記第１処理において、前記低速読取条件で既に読み取られた原稿の一部が、再度前記高速読取条件で読み取られることにより、原稿の一部を前記高速読取条件で読み取ったときに得られる読取データが取得されることを特徴とする請求項１〜４のいずれかに記載の読取装置。
【請求項６】
前記第１処理において、前記低速読取条件で既に読み取られた原稿の一部が、再度前記高速読取条件で読み取られる場合、前記低速読取条件で既に読み取られた原稿の一部の読取データに基づいて、前記副走査方向における原稿上の画像の先端まで前記読取部が戻された後、前記高速読取条件で再度の読み取りがなされることを特徴とする請求項５に記載の読取装置。
【請求項７】
前記第１処理において、前記低速読取条件で既に読み取られた原稿の一部の読取データが変換されることにより、原稿の一部を前記高速読取条件で読み取ったときに得られる読取データが取得されることを特徴とする請求項１〜６のいずれかに記載の読取装置。
【請求項８】
前記判断部が生成された読取データが写真データか否かに基づいて前記高速読取条件の適用が可能か否か判断することを特徴とする請求項１〜７のいずれかに記載の読取装置。
【発明の詳細な説明】
【技術分野】
【０００１】
本発明は、原稿の画像を読み取る読取装置に関する。
【背景技術】
【０００２】
従来の画像処理装置においては、原稿の所定範囲が、初期設定状態の処理モード、すなわち、初期設定状態の濃度、画像の種類、色、倍率の各処理モードで読み取られる。そして、読み取られた原稿の所定範囲の画像データが解析され、画像データの解析の結果、初期設定状態の各処理モードが画像データの属性に適していると判断された場合には、初期設定状態の各処理モードで読み取りが継続される。一方、各処理モードの初期設定が画像データの属性に適していないと判断された場合には、初期設定状態の各処理モードが適切な設定に変更された上で、最初から読み取りのやり直しがなされる。
【先行技術文献】
【特許文献】
【０００３】
【特許文献１】特開２００１−１１１７４８号公報
【発明の概要】
【発明が解決しようとする課題】
【０００４】
しかしながら、上記特許文献１に記載の画像処理装置においては、各処理モードの初期設定が画像データの属性に適していないと判断された場合には、いつも処理モードを変更した上で、最初から読み取りのやり直しがなされる。
【０００５】
このため、画像データを解析するために読み取る原稿の範囲によっては、各処理モードの初期設定が画像データの属性に適していないと判断した場合に、最初から読み取りをやり直すと、各処理モードを変更せずに継続して読み取るよりも、読み取りにかかる時間が長くなるという問題があった。
【０００６】
例えば、原稿の所定範囲をカラーモードで読み取り、その画像データを解析する場合、所定範囲の大きさによっては、画像データの解析結果から原稿がモノクロ原稿だとわかっても、カラーモードで読み取りを継続したほうが早く読み取りを終了できる場合もあり、また、モノクロモードで原稿を最初から読み取りし直した方が早く読み取りを終了できる場合もある。
【０００７】
そこで、本発明は、原稿の読み取り中に読み取りの設定を変更すべきと判断した場合でも、読み取りの設定を変更しないで読み取りを継続し、読み取りにかかる時間を短縮することができる読取装置を提供することを目的とする。
【課題を解決するための手段】
【０００８】
この目的を達成するために、本発明の読取装置は、原稿副走査方向に移動して原稿を読み取り、読取データを生成する読取部と、読取部の低速移動速度が必要な低速読取条件と、低速移動よりも速い読取部の移動が可能な高速読取条件とが設定可能な読取条件設定部と、読取条件設定部により低速読取条件が設定された状態で、読取部に原稿の一部を読み取らせ、生成された読取データに基づいて高速読取条件の適用が可能か否か判断する判断部と、判断部により高速読取条件の適用が可能であると判断された場合において、低速読取条件で読み取られた原稿の一部を高速読取条件で読み取ったときに得られる読取データを取得するとともに原稿のまだ読み取られていない部分を高速読取条件で読み取る第１処理と、原稿のまだ読み取られていない部分を低速読取条件で読み取る第２処理とのうち、処理時間の短い方の処理を選択して実行する処理選択部とを備えることを特徴とする。
【０００９】
このように構成された読取装置によれば、第１処理と第２処理とのうち処理時間の短い方の処理を選択して実行することとなり、読み取りにかかる時間を短縮することができる。
【００１０】
また、処理選択部は、原稿の一部として低速読取条件で読み取られた原稿の範囲が所定範囲を超えた場合に、第１処理よりも第２処理にかかる時間が短いと判断するようにしてもよい。
【００１１】
このように構成された読取装置によれば、原稿の一部として低速読取条件で読み取られた原稿の範囲が所定範囲を超えた場合に、原稿のまだ読み取られていない部分が低速読取条件で読み取りがなされることとなり、読み取りにかかる時間を短縮することができる。
【００１２】
また、読取条件設定部は、低速読取条件は所定値以上の高解像度を含み、高速読取条件は所定値未満の低解像度を含むようにしてもよい。
【００１３】
このように構成された読取装置によれば、高解像度で読み取られた原稿の一部を低解像度で読み取ったときに得られる読取データを取得するとともに原稿のまだ読み取られていない部分を低解像度で読み取る第１処理と、原稿のまだ読み取られていない部分を高解像度で読み取る第２処理とのうち、処理時間の短い方の処理を選択して実行することとなり、第１処理と第２処理とのうち処理にかかる時間の短い方の処理を適切に選択して実行するができる。
【００１４】
また、読取条件設定部は、読取条件として複数色読取と単色読取とを設定可能であり、低速読取条件は複数色読取を含み、高速読取条件は単色読取を含むようにしてもよい。
【００１５】
このように構成された読取装置によれば、複数色読取で読み取られた原稿の一部を単色読取で読み取ったときに得られる読取データを取得するとともに原稿のまだ読み取られていない部分を単色読取で読み取る第１処理と、原稿のまだ読み取られていない部分を複数色読取で読み取る第２処理とのうち、処理時間の短い方の処理を選択して実行することとなり、第１処理と第２処理とのうち処理にかかる時間の短い方の処理を適切に選択して実行するができる。
【００１６】
また、第１処理において、低速読取条件で既に読み取られた原稿の一部が、再度高速読取条件で読み取られることにより、原稿の一部を高速読取条件で読み取ったときに得られる読取データが取得されるようにしてもよい。
【００１７】
このように構成された読取装置によれば、第１処理において、低速読取条件で既に読み取られた原稿の一部と原稿のまだ読み取られていない部分とが、高速読取条件で読み取られ、かつ、均一の画像品質となる読取データが取得されることとなり、読み取りにかかる時間を短縮することができ、かつ、安定した画像品質が得られる。
【００１８】
また、第１処理において、低速読取条件で既に読み取られた原稿の一部が、再度高速読取条件で読み取られる場合、低速読取条件で既に読み取られた原稿の一部の読取データに基づいて、副走査方向における原稿上の画像の先端まで読取部が戻された後、高速読取条件で再度の読み取りがなされるようにしてもよい。
【００１９】
このように構成された読取装置によれば、例えば、原稿の先端に画像がない場合に、副走査方向における原稿上の画像の先端から原稿を読み取ることとなり、さらに読み取りにかかる時間を短縮することができる。
【００２０】
第１処理において、低速読取条件で既に読み取られた原稿の一部の読取データが変換されることにより、原稿の一部を高速読取条件で読み取ったときに得られる読取データが取得されるようにしてもよい。
【００２１】
このように構成された読取装置によれば、第１処理において、低速読取条件で既に読み取られた原稿の一部の読取データの変換が高速になされる場合、低速読取条件で既に読み取られた原稿の一部が、再度高速読取条件で読み取られる場合よりも、高速に読取データが取得されることとなり、さらに読み取りにかかる時間を短縮することができる。
【００２２】
判断部が生成された読取データが写真データか否かに基づいて高速読取条件の適用が可能か否か判断するようにしてもよい。
【００２３】
このように構成された読取装置によれば、写真データのような画像品質を求められるデータに基づいて、高速読取条件の判断がされることとなり、画像品質が保障される。
【図面の簡単な説明】
【００２４】
【図１】本発明を適用した複合機の外観を表す斜視図である。
【図２】本体カバー及び原稿読取部の構成を表す概略断面図である。
【図３】種々の条件における原稿読取部の移動速度を示す条件テーブルの一例である。
【図４】本発明を適用した複合機の電気的構成を示すブロック図である。
【図５】本発明の自動解像度読取処理の流れを示すフローチャートである。
【図６】原稿と読取面との位置関係を示す図面である。
【図７】本発明の解像度決定処理の流れを示すフローチャートである。
【図８】種々の条件における原稿読取部の移動速度を示す条件テーブルの一例である。
【図９】本発明の自動カラー読取処理の流れを示すフローチャートである。
【図１０】本発明のカラー決定処理の流れを示すフローチャートである。
【発明を実施するための形態】
【００２５】
（第１の実施形態）
図１は、本発明を適用した複合機１（本発明の読取装置の一例）の外観を表す斜視図である。他に、図２、図３及び図６を随時参照しながら、複合機１について説明する。複合機１は、画像が形成される用紙を給紙する用紙トレー１７と、用紙トレー１７から供給された用紙に画像を形成する本体１０と、本体１０の上面を完全に覆うように、本体１０に開閉可能に支持された本体カバー１２と、を備えている。
【００２６】
本体１０は、原稿１９に記載された画像を読み取る原稿読取部４０（本発明の読取部の一例、図２参照）と、用紙に画像を形成する画像形成部２（図４参照）と、複合機１を使用する際に必要な情報をユーザが入力する操作部１４と、ユーザが入力した入力結果等を表示する表示部１５を備えている。そして、原稿読取部４０、画像形成部２は、本体ケース１１内に収納されている。
【００２７】
また、本体ケース１１は、原稿読取部４０に読み取られる原稿１９を配置する読取面１１Ａを有している。そして、読取面１１Ａは、ガラス等の光を透過する素材によって形成された板材であり、本体カバー１２と対向する本体ケース１１の上面に固定されている。ここで、原稿読取部４０は、読取面１１Ａの左端（図２、図６参照）を読取開始位置Ｓとして読み取りを開始する。
【００２８】
また、操作部１４は、複数の機能のうちユーザが望む機能を選択するための動作選択キー、ユーザが選択した機能を実行するためのスタートキー等を備え、表示部１５は複合機１の状態等を表示する。
【００２９】
また、画像形成部２は、原稿読取部４０で光学的に読み取られて生成された画像データもしくはＰＣ等の外部装置から取り込んだ画像データに基づいて、周知の帯電―露光―現像―転写―定着の電子写真プロセスによって用紙上に画像を形成する。
【００３０】
図２は、本体カバー１２及び原稿読取部４０の構成を表す概略断面図である。原稿自動搬送装置５は、図２に示すように、本体カバー１２と、原稿読取部４０に読み取られる前の原稿１９を載置する載置部２１と、原稿読取部４０に読み取られた後の原稿１９を集積する集積部２２と、載置部２１から読取面１１Ａを経由して集積部２２へと原稿１９を搬送する搬送部２５とを備えている。
【００３１】
また、図２に示すように、原稿読取部４０は、原稿１９に対してＲ（赤）、Ｇ（緑）、Ｂ（青）の３色の光をそれぞれ照射するＬＥＤからなる光源４１と、原稿１９によって反射された反射光を集光するセルフォックレンズ等の光学素子群４２と、光学素子群４２が集光した反射光を受光するＣＩＳ（Ｃｏｎｔａｃｔ  Ｉｍａｇｅ  Ｓｅｎｓｏｒ）からなる受光素子群４３と、を備えている。具体的には、光源４１が光を照射し、照射された光が原稿１９によって反射され、反射光を光学素子群４２が集光し、集光された反射光が受光素子群４３によって受光されることにより原稿１９のアナログデータを取得される。そして、不図示のＡＤ変換器がアナログデータをデジタルデータに変換し、画像データが生成されるように構成されている。
【００３２】
また、キャリッジ３１には、読取面１１Ａに平行な面上で、ガイド軸３３に垂直な方向である主走査方向に、光学素子群４２と受光素子群４３とが配列されるようにして、原稿読取部４０が搭載されている。
【００３３】
更に、原稿読取部４０は、原稿自動搬送読取位置３と対面する位置において、原稿１９の読み取りが可能であり、かつ、キャリッジ搬送機構３０により、読取面１１Ａに沿った本体ケース１１の長手方向（本発明の副走査方向の一例、図２の左右方向）への移動が可能に構成されている。
【００３４】
キャリッジ搬送機構３０は、本体ケース１１内に設けられている。具体的に、キャリッジ搬送機構３０は、モータ３５及びセンサ３６の他、キャリッジ３１、及び、キャリッジ３１の搬送路を構成するガイド軸３３等を備える。 
【００３５】
ガイド軸３３は、読取面１１Ａと平行に、本体ケース１１の長手方向に沿って、設けられている。具体的に、ガイド軸３３は、キャリッジ３１が、本体ケース１１の長手方向に沿って、読取面１１Ａの全領域を移動可能なように、その長さが定められ、本体ケース１１内に設けられている。
【００３６】
そして、キャリッジ３１は、このガイド軸３３に摺動可能に設けられており、モータ３５の駆動力を受けて、ガイド軸３３に沿って、読取面１１Ａの下方領域を移動する。即ち、上述の副走査方向は、ガイド軸３３が延びる本体ケース１１の長手方向に対応する。
【００３７】
なお、モータ３５からキャリッジ３１への動力伝達系については、図示を省略するが、モータ３５の駆動力は、無端ベルトを介してキャリッジ３１に伝達される。すなわち、モータ３５の回転軸に取り付けられたプーリーが、ガイド軸３３の一端側に設けられている。当該プーリーと対となるプーリーが、ガイド軸３３の他端側に設けられ、これら一対のプーリー間に、無端ベルトが巻回され、キャリッジ３１が、この無端ベルトに、連結されている。そして、モータ３５が回転するとプーリーに従動して回転する無端ベルトが当該回転し、キャリッジ３１が副走査方向に移動する。
【００３８】
なお、センサ３６の検出信号は、ＣＰＵ１０１（図４参照）に入力され、モータ３５は、センサ３６の検出信号に基づくＣＰＵ１０１の動作によって、制御される。即ち、キャリッジ搬送機構３０は、ＣＰＵ１０１に制御されて、キャリッジ３１を副走査方向に搬送する。
【００３９】
次に、キャリッジ搬送機構３０が原稿読取部４０を搬送する移動速度について説明する。例えば、図３に示すように、キャリッジ搬送機構３０は、高解像度のとき原稿読取部４０を移動速度Ｖｈが２０ｍｍ／ｓで搬送し、低解像度のとき原稿読取部４０を移動速度Ｖｌが１００ｍｍ／ｓで搬送し、解析終了位置Ｋ（図６参照）から読取開始位置Ｓ（図６参照）に戻る際に原稿読取部４０を移動速度Ｖｒが５０ｍｍ／ｓで搬送するとする。ここで、高解像度とは、写真等の高画質の読み取りを行うのに適した解像度をいい、例えば、１２００ｄｐｉや６００ｄｐｉ等の解像度である。また、低解像度とは、写真等の読み取りを行うのに適した解像度よりも低い解像度で読み取っても支障の無い、文字等の読み取りに適した解像度をいい、例えば、１５０ｄｐｉや１５０ｄｐｉ以下の解像度である。
【００４０】
なお、原稿自動搬送装置５を用いて原稿１９の読み取りを行う際には、キャリッジ搬送機構３０は、原稿読取部４０を、原稿自動搬送読取位置３に対面する位置に保持し、原稿自動搬送装置５によって搬送される原稿１９の全画像を原稿読取部４０が読み取る。また、フラットベット型として使用する際には、原稿読取部４０は、キャリッジ搬送機構３０によって副走査方向に移動されながら、読取面１１Ａに読取面１１Ａと原稿読取部４０により原稿１９の読み取る面とを対向するように配置された原稿１９の全画像を読み取る。
【００４１】
（複合機１の電気的構成）
次に、図４は、複合機１の電気的な構成を示すブロック図である。複合機１は、ＣＰＵ１０１（本発明の読取条件設定部、判断部、処理選択部の一例）と、各種プログラムを記憶するＲＯＭ１０２と、各種メモリ領域を備えるＲＡＭ１０３と、通信ネットワークに接続されて外部装置との間でデータの送受信をする通信インタフェース（通信Ｉ／Ｆ）１０４と、画像形成部２と、原稿読取部４０と、操作部１４と、表示部１５とを備えている。
【００４２】
ＲＯＭ１０２は、図３に示す種々の条件における原稿読取部４０の移動速度を示す条件テーブル２００と、原稿読取部４０が原稿１９の読み取りにかかる読取時間の計算式である数式１〜４とを予め記憶している。ＣＰＵ１０１は、ＲＯＭ１０２に記憶されている移動速度、計算式に基づき読取時間を計算する。なお、数式１〜４については後述する。
【００４３】
ＲＡＭ１０３は、ＣＰＵ１０１が原稿読取部４０に原稿１９を読み取らせる際に、キャリッジ３１を副走査方向に動かす方向であるルートごとの原稿１９の読み取りにかかる時間を記憶したり、読み取った画像データを記憶したりする。なお、ルートについては、Ａルート、Ｂルート、Ｂルートの変形例であるＣルートと、があり、それぞれについて後述する。
【００４４】
（自動解像度読取処理）
図５は、本発明の自動解像度読取処理の流れを示すフローチャートである。本処理は、ユーザが原稿１９を読取面１１Ａに配置し、操作部１４において、ユーザが「自動解像度読取モード」を選択し、ユーザが原稿１９の読み取りをスタートさせるためのキーを押下することにより開始する。なお、ユーザは、読み取りをスタートさせる前に、読み取る原稿１９の用紙サイズを予め操作部１４を介して入力する。
【００４５】
まず、ＣＰＵ１０１は、読取面１１Ａに配置された原稿１９のうち、図６に示す解析用読取範囲Ｌを、写真等の読み取りを行うのに適した高解像度における移動速度Ｖｈで原稿読取部４０に読み取らせ（Ｓ１０１）、読み取った画像データをＲＡＭ１０３に記憶させる。
【００４６】
ここで、解析用読取範囲Ｌとは、ＣＰＵ１０１が原稿読取部４０に読み取らせた原稿１９の画像データが、例えば、写真データであるか、文字データであるかを判断するために、ＣＰＵ１０１が原稿読取部４０に読み取らせる原稿１９の可変の部分である。つまり、ＣＰＵ１０１は、原稿読取部４０に読み取らせた原稿１９の画像データから、写真データであるか、文字データであるか画像種別を判断することができるまで高解像度で原稿読取部４０に読み取りを継続させ、画像種別を判断することができるまで原稿読取部４０に原稿１９を読み取らせると、解析用読取範囲Ｌの読み取りを終了する。
【００４７】
なお、画像種別を判断することができるまでとは、所定の画素の密度が一定の範囲内で得られたときであるが、原稿１９上の画像がない部分は一定の範囲に含まれない。例えば、ＣＰＵ１０１が原稿読取部４０に読み取らせた１ライン中の画素数を測定し、１ライン中の画素数が１以上かつ所定の値未満の状態が５０ｍｍ続いたとき文字データであると判断する。また、１ライン中の画素数が所定の値以上の状態が５０ｍｍ続いたときは写真データであると判断し、１ライン中の画素数が所定の値未満のとき文字データであると判断するようにする。
【００４８】
次に、ＣＰＵ１０１が解像度決定処理を行う（Ｓ１０２）。なお、解像度決定処理の詳細については後述する。
【００４９】
次に、ＣＰＵ１０１は、解像度決定処理において、写真等の読み取りを行うのに適した解像度よりも低い解像度で読み取っても支障の無い、文字等の読み取りに適した低解像度にすることが決定されたか、つまり、高解像度から低解像度に解像度を変更するか判断する（Ｓ１０３）。ＣＰＵ１０１は、解像度決定処理において、解像度を高解像度にすることが決定され、高解像度から解像度を変更しないと判断した場合（Ｓ１０３：ＮＯ）、読取終了位置Ｅまで高解像度、かつ、移動速度Ｖｈで原稿読取部４０に原稿１９を読み取らせ（Ｓ１０７）、自動解像度読取処理を終了する。
【００５０】
ここで、読取終了位置Ｅとは、ユーザが入力した用紙サイズに基づいて、読取開始位置Ｓから決定される位置であり、例えばＡ４サイズの用紙であれば、Ａ４サイズの用紙の長手方向と読取面１１Ａの長手方向とをそろえて配置したとき、読取開始位置Ｓから２９７ｍｍ読取面１１Ａの長手方向に原稿読取部４０を移動させた位置である。
【００５１】
一方、ＣＰＵ１０１は、解像度決定処理において、解像度を低解像度にすることが決定され、高解像度から低解像度に解像度を変更すると判断した場合（Ｓ１０３：ＹＥＳ）、解析用読取範囲Ｌを読み取った後の解析終了位置Ｋから読取終了位置Ｅまでを高解像度で原稿読取部４０に読み取らせるＡルートと、原稿読取部４０を解析終了位置Ｋから読取開始位置Ｓに戻し、低解像度で読取開始位置Ｓから読取終了位置Ｅまで原稿読取部４０に読み取らせるＢルートと、のどちらが読み取りにかかる読取時間が短くなるか判断する（Ｓ１０４）。
【００５２】
このとき、ＡルートとＢルートと、どちらが読み取りにかかる読取時間が短くなるかは、ユーザが操作部１４を介して入力した原稿１９の用紙サイズと、解析用読取範囲Ｌとの関係に依存する。また、解析用読取範囲Ｌの大きさは、ＣＰＵ１０１が原稿読取部４０に原稿１９の先端を読み取らせる際に、原稿１９の先端に画像があるか有るかに無いかに依存する。ＣＰＵ１０１は、原稿１９の先端に画像が有ると、写真データであるか、文字データであるか画像種別を判断することができるので、解析用読取範囲Ｌは小さくなる。一方、ＣＰＵ１０１は、原稿１９の先端に画像があるか無いと、原稿読取部４０に原稿１９の画像が有る部分まで読み取りをさせてから、写真データであるか、文字データであるか画像種別を判断することになるので、解析用読取範囲Ｌは大きくなる。
【００５３】
具体的には、図３に示す読み取りの速度の条件において、読取範囲Ｙは読取開始位置Ｓから読取終了位置Ｅまでとする。ここで、解析終了位置Ｋから読取終了位置Ｅまでを高解像度で原稿読取部４０に原稿１９を読み取らせるＡルートの読み取りにかかる時間は、上記値を｛（Ｙ−Ｌ）／Ｖｈ｝の数式１に代入することにより求められる。また、原稿読取部４０が解析終了位置Ｋから読取開始位置Ｓに戻り、ＣＰＵ１０１が低解像度で読取開始位置Ｓから読取終了位置Ｅまで原稿読取部４０に原稿１９を読み取らせるＢルートの読み取りにかかる時間は、｛Ｌ／Ｖｒ＋Ｙ／Ｖｌ｝の数式２に代入することにより求められる。
【００５４】
図３に示す読み取りの速度の条件において、Ａ４サイズの原稿１９を読み取る場合、原稿読取範囲Ｙは、読取開始位置Ｓから２９７ｍｍの位置にある読取終了位置Ｅまでの範囲である。このとき、ＣＰＵ１０１が原稿読取部４０に読み取らせた原稿１９の画像データから、写真データであるか、文字データであるか画像種別を判断することができるまでに解析用読取範囲Ｌとして、解析用読取範囲Ｌが１００ｍｍであったとする。まず、解析終了位置Ｋから読取終了位置Ｅまでを高解像度で原稿読取部４０に読み取らせるＡルートの読取にかかる時間は、｛（２９８ｍｍ−１００ｍｍ）／（２０ｍｍ／ｓ）｝＝９．８５ｓである。また、原稿読取部４０が解析終了位置Ｋから読取開始位置Ｓに戻り、ＣＰＵ１０１が低解像度で読取開始位置Ｓから読取終了位置Ｅまで原稿読取部４０に原稿１９を読み取らせるＢルートの読み取りにかかる時間は、［｛１００ｍｍ／（５０ｍｍ／ｓ）｝＋｛２９８ｍｍ／（１００ｍｍ／ｓ）｝］＝４．９７ｓである。よって、原稿読取部４０はＡ４サイズの原稿１９を読み取る場合、高解像度でＡルートの読み取りにかかる時間より、低解像度でＢルートの読み取りにかかる時間が短くなるので、Ｓ１０４の判断において、ＣＰＵ１０１はＢルートを選択することとなる。
【００５５】
また、図３に示す読み取りの速度の条件において、はがきサイズの原稿１９を読み取る場合、原稿読取範囲Ｙは、読取開始位置Ｓから１４８ｍｍの範囲である。このときも、ＣＰＵ１０１が原稿読取部４０に読み取らせた原稿１９の画像データから、写真データであるか、文字データであるか画像種別を判断することができるまでに解析用読取範囲Ｌとして、解析用読取範囲Ｌが１００ｍｍであったとする。例えば、読取面１１Ａに載置したはがきの右端に寄せて挿絵があった場合である。まず、解析終了位置Ｋから読取終了位置Ｅまでを高解像度で原稿読取部４０に読み取らせるＡルートの読取にかかる時間は、｛（１４８ｍｍ−１００ｍｍ）／（２０ｍｍ／ｓ）｝＝２．４ｓである。また、原稿読取部４０が解析終了位置Ｋから読取開始位置Ｓに戻り、ＣＰＵ１０１が低解像度で読取開始位置Ｓから読取終了位置Ｅまで原稿読取部４０に読み取らせるＢルートの読み取りにかかる時間は、［｛１００ｍｍ／（５０ｍｍ／ｓ）｝＋｛１４８ｍｍ／（１００ｍｍ／ｓ）｝］＝３．１５ｓである。よって、原稿読取部４０は、低解像度でＢルートの読み取りにかかる時間より、高解像度でＡルートの読取にかかる時間が短くなるので、Ｓ１０４の判断において、ＣＰＵ１０１はＡルートを選択することとなる。
【００５６】
なお、低解像度における読取速度が高解像度における読取速度より速いのは、原稿読取部４０が低解像度で主走査方向へ読み取る画素数が高解像度で主走査方向へ読み取る画素数比べて少なくなり、１ラインの読み取りにかかる時間が抵解像度より高解像度が短くなるためである。また、低解像度における読取速度が高解像度における読取速度より速いのは、低解像度での読み取りが高解像度での読み取りと比べて、副走査方向へ読み取るライン数が少なくなるためでもある。さらに、キャリッジ搬送機構３０は、原稿読取部４０が主走査方向の１ラインの読み取りかかる時間を保障しつつ、原稿読取部４０を読み取るラインからラインまで移動させる必要がある。このため、高解像度の読み取りでは、主走査方向へ読み取る画素数が多く、かつ、原稿読取部４０を移動させるライン間が狭いので、主走査方向へ読み取る画素数が少なく、かつ、原稿読取部４０を移動させるライン間が広い低解像度の読み取りに比べて、原稿読取部４０の移動速度を速くすることができない。よって、低解像度における読取速度が高解像度における読取速度より速くなる。
【００５７】
図５に示すＳ１０４において、ＣＰＵ１０１は、高解像度でＡルートの読み取りにかかる時間より低解像度でＢルートの読み取りにかかる時間が短くなると判断した場合（Ｓ１０４：ＹＥＳ）、原稿読取部４０を移動速度Ｖｒで読取開始位置Ｓに移動させる（Ｓ１０５）。そして、ＣＰＵ１０１は、読取終了位置Ｅまで低解像度、かつ、移動速度Ｖｌで原稿読取部４０に原稿１９を読み取らせ（Ｓ１０６）、自動解像度読取処理を終了する。
【００５８】
また、Ｓ１０４において、ＣＰＵ１０１は、低解像度でＢルートの読み取りにかかる時間より高解像度でＡルートの読み取りにかかる時間が短くなると判断した場合（Ｓ１０４：ＮＯ）、解像度を低解像度にする決定を取り消して、読取終了位置Ｅまで高解像度、かつ、移動速度Ｖｈで原稿読取部４０に原稿１９を読み取らせ（Ｓ１０７）、自動解像度読取処理を終了する。
【００５９】
（解像度決定処理）
図７は、本発明の自動解像度読取処理における解像度決定処理の流れを示すフローチャートである。
【００６０】
まず、ＣＰＵ１０１は、Ｓ１０１において読み取った解析用読取範囲Ｌの画像データについて、例えば、１ライン中の画素数が所定値以上であるか否かを判断する等して、解析用読取範囲Ｌの画像データを解析する（Ｓ２０１）。なお、ＣＰＵ１０１が解析用読取範囲Ｌを高解像度で原稿読取部４０に読み取らせ（Ｓ１０１）、ＣＰＵ１０１が解析用読取範囲Ｌの画像データを解析する（Ｓ２０１）のは、ＣＰＵ１０１が解析用読取範囲Ｌを低解像度で原稿読取部４０に読み取らせ、ＣＰＵ１０１が解析用読取範囲Ｌの画像データを解析した結果、画像種別が写真データであるとＣＰＵ１０１に判断された場合、ＣＰＵ１０１が解析用読取範囲Ｌを読み取った後の解析終了位置Ｋから読取終了位置Ｅまでを高解像度で原稿読取部４０に読み取らせるＡルートと、原稿読取部４０を解析終了位置Ｋから読取開始位置Ｓに戻し、低解像度で読取開始位置Ｓから読取終了位置Ｅまで原稿読取部４０に読み取らせるＢルートと、のどちらが読み取りにかかる読取時間が短くなるか判断をすることなく、ＣＰＵ１０１が原稿読取部４０に必ず原稿１９の先頭部分を読み取りなおさせる必要があるからである。
【００６１】
次に、ＣＰＵ１０１は、解析用読取範囲Ｌの画像データの解析結果に基づいて、解析用読取範囲Ｌの画像データの種類は写真データであるか判断し（Ｓ２０２）、解析用読取範囲Ｌの画像データの解析結果に基づいて、写真データであると判断した場合（Ｓ２０２：ＹＥＳ）、解像度を高解像度に決定して（Ｓ２０３）、解像度決定処理を終了する。ここで、Ｓ２０３における高解像度は、Ｓ１０１における高解像度と同じ解像度である。Ｓ２０３における高解像度はＳ１０１における高解像度と同じ解像度とするのは、高解像度が写真の読み取りに適しているからである。
【００６２】
一方、ＣＰＵ１０１は、解析用読取範囲Ｌの画像データの解析結果に基づいて、写真データでない、例えば文字データと判断した場合（Ｓ２０２：ＮＯ）、解像度を低解像度に決定して（Ｓ２０４）、解像度決定処理を終了する。なお、解析用読取範囲Ｌの画像データは、原稿１９の読み取り終了後に、ＣＰＵ１０１が高解像度から低解像度に解像度を変換する処理を行われればよい。
【００６３】
（第１の実施形態の効果）
本発明の複合機１によれば、ＣＰＵ１０１は、解像度決定処理において、解像度を低解像度にすることが決定され、高解像度から低解像度に解像度を変更すると判断した場合（Ｓ１０３：ＹＥＳ）、解析用読取範囲Ｌを読み取った後の解析終了位置Ｋから読取終了位置Ｅまでの残りの部分を高解像度で原稿読取部４０に読み取らせるＡルートと、原稿読取部４０を解析終了位置Ｋから読取開始位置Ｓに戻し、低解像度で読取開始位置Ｓから読取終了位置Ｅまで原稿読取部４０に読み取らせるＢルートと、のどちらが読み取りにかかる読取時間が短くなるか判断し（Ｓ１０４）、読み取りにかかる読取時間が短いルートで原稿１９の読み取りが行わせる。この構成によれば、ＣＰＵ１０１は、高解像度から低解像度に解像度が変更されると判断した場合に、高解像度でＡルートの読み取りにかかる時間と低解像度でＢルートの読み取りにかかる時間とのうち読み取りにかかる時間の短いルートのどちらかが行わせることとなり、原稿読取部４０に原稿１９を読み取らせるのにかかる時間を短縮することができる。
【００６４】
（第２の実施形態）
第１の実施形態は、解像度が高解像度から低解像度に変更されたときに、ＡルートとＢルートとのうち読取時間が短くなる方を選ぶ実施形態であったが、第２の実施形態は、カラーからモノクロに変更されたときに、ＡルートとＢルートとのうち読取時間が短くなる方を選ぶ実施形態である。第２の実施形態について、第１の実施形態と同様の箇所は適宜省略しながら説明する。
【００６５】
まず、キャリッジ搬送機構３０が原稿読取部４０を搬送する移動速度について説明する。図８に示す種々の条件における原稿読取部４０の移動速度を示す条件テーブル２０１のように、キャリッジ搬送機構３０は、カラー読み取りでの原稿読取部４０を移動速度Ｖｃが３０ｍｍ／ｓで搬送し、モノクロ読み取りでの原稿読取部４０を移動速度Ｖｍが１００ｍｍ／ｓで搬送する。ここで、カラー読み取りとは、ＣＰＵ１０１が１ラインごとにＲ（赤）、Ｇ（緑）、Ｂ（青）の３色で、原稿読取部４０に原稿１９を読み取らせることをいい、モノクロ読み取りとは、ＣＰＵ１０１が１ラインごとにＲ（赤）、Ｇ（緑）、Ｂ（青）の３色のうちいずれか１色で、原稿読取部４０に原稿１９を読み取らせることをいう。
【００６６】
（自動カラー読取処理）
図９は、本発明の自動カラー読取処理の流れを示すフローチャートである。
【００６７】
まず、ＣＰＵ１０１は、解析用読取範囲Ｌを写真等の読み取りを行うのに適したカラーにおける移動速度Ｖｃで原稿読取部４０に読み取らせ（Ｓ３０１）、カラー決定処理を行う（Ｓ３０２）。つまり、第１の実施形態と同様に、ＣＰＵ１０１は、原稿読取部４０読み取らせた原稿１９の画像データから、写真データであるか、文字データであるか画像種別を判断することができるまでカラーで原稿読取部４０に読み取りを継続させ、画像種別を判断することができるまで読み取らせると、解析用読取範囲Ｌの読み取りを終了する。なお、カラー決定処理については、後述にて詳細に説明する。
【００６８】
次に、ＣＰＵ１０１は、カラー決定処理において、読取カラーを写真等の読み取りを行うのに適したカラーよりもモノクロで読み取っても支障の無い、文字等の読み取りに適したモノクロにすることが決定されたか、つまり、読取カラーをカラーからモノクロに変更するか判断する（Ｓ３０３）。
【００６９】
次に、ＣＰＵ１０１は、カラー決定処理において、読取カラーをカラーに設定することが決定され、読取カラーを変更しないと判断した場合（Ｓ３０３：ＮＯ）、読取終了位置Ｅまでカラー、移動速度Ｖｃで原稿読取部４０に原稿１９を読み取らせ（Ｓ３０６）、自動カラー読取処理を終了する。
【００７０】
一方、ＣＰＵ１０１は、カラー決定処理において、読取カラーをモノクロにすることが決定され、カラーからモノクロに読取カラーを変更すると判断した場合（Ｓ３０３：ＹＥＳ）、原稿読取部４０に解析用読取範囲Ｌを読み取らせた後、解析終了位置Ｋから読取終了位置Ｅまでの残りの部分を原稿読取部４０にカラーで読み取らせるＡルートと、原稿読取部４０を解析終了位置Ｋから読取開始位置Ｓに戻らせ、読取開始位置Ｓから読取終了位置Ｅまで原稿読取部４０にモノクロで読み取らせるＢルートと、のどちらが読み取りにかかる読取時間が短くなるか判断する（Ｓ３０４）。
【００７１】
具体的には、図８に示す読み取りの速度の条件において、解析用読取範囲Ｌは１００ｍｍとし、読取範囲Ｙは、読取開始位置Ｓから読取終了位置Ｅまでとする。ここで、解析終了位置Ｋから読取終了位置Ｅまでの残りの部分を原稿読取部４０にカラーで読み取らせるＡルートの読取にかかる時間は、上記値を｛（Ｙ−Ｌ）／Ｖｃ｝の数式３に代入することにより求められる。また、原稿読取部４０を解析終了位置Ｋから読取開始位置Ｓに戻らせ、読取開始位置Ｓから読取終了位置Ｅまで原稿読取部４０にモノクロで読み取らせるＢルートの読み取りにかかる時間は、｛Ｌ／Ｖｒ＋Ｙ／Ｖｍ｝の数式４に代入することにより求められる。
【００７２】
図８に示す読み取りの速度の条件において、Ａ４サイズの原稿１９を読み取る場合、原稿読取範囲Ｙは、読取開始位置Ｓから２９７ｍｍの位置にある読取終了位置Ｅまでの範囲となる。このとき、ＣＰＵ１０１が原稿読取部４０に読み取らせた原稿１９の画像データから、写真データであるか、文字データであるか画像種別を判断することができるまでを解析用読取範囲Ｌとし、解析用読取範囲Ｌは１００ｍｍであったとする。まず、解析終了位置Ｋから読取終了位置Ｅまでの残りの部分を原稿読取部４０にカラーで読み取らせるＡルートの読取にかかる時間は、｛（２９８ｍｍ−１００ｍｍ）／（３０ｍｍ／ｓ）｝＝６．５７ｓである。また、解析終了位置Ｋから読取開始位置Ｓに戻り、読取開始位置Ｓから読取終了位置Ｅまで原稿読取部４０にモノクロで読み取らせるＢルートの読み取りにかかる時間は、［｛１００ｍｍ／（５０ｍｍ／ｓ）｝＋｛２９８ｍｍ／（１００ｍｍ／ｓ）｝］＝４．９７ｓである。よって、Ａ４サイズの原稿１９を読み取る場合、カラー読み取りでＡルートの読取にかかる時間より、モノクロ読み取りでＢルートの読み取りにかかる時間が短くなるので、Ｓ１０４の判断において、ＣＰＵ１０１はＢルートが選択することとなる。
【００７３】
なお、モノクロ読み取りにおける読取速度がカラー読み取りにおける読取速度より速いのは、モノクロの読み取りは１ラインにつきＲＧＢのうちいずれか１色の値を読み取ればよく、カラー読み取りのように１ラインにつきＲＧＢの３色の値をそれぞれ読み取る必要がないからである。このため、モノクロ読み取りは、カラー読み取りと比べて読み取る色の数が少なくなるので、原稿読取部４０が１ラインにかける読み取りかかる時間が短くなり、キャリッジ搬送機構３０は、原稿読取部４０を搬送する移動速度を速くすることができる。よって、モノクロ読み取りにおける読取速度が、カラー読み取りにおける読取速度より速くなる。
【００７４】
図９に示すＳ３０４において、ＣＰＵ１０１は、Ａルートの読取時間よりＢルートの読取時間が短くなると判断した場合（Ｓ３０４：ＹＥＳ）、原稿読取部４０を移動速度Ｖｒで読取開始位置Ｓに移動させる（Ｓ１０５）。そして、ＣＰＵ１０１は、読取終了位置Ｅまでモノクロ、移動速度Ｖｍで原稿読取部４０に原稿１９を読み取らせ（Ｓ３０５）、自動カラー読取処理を終了する。
【００７５】
また、Ｓ１０４において、ＣＰＵ１０１は、Ｂルートの読取時間よりＡルートの読取時間が短くなると判断した場合（Ｓ３０４：ＮＯ）、モノクロで読み取る決定を取り消して、カラー、移動速度Ｖｃで読取終了位置Ｅまで原稿読取部４０に原稿１９を読み取らせ（Ｓ３０６）、自動カラー読取処理を終了する。
【００７６】
（カラー決定処理）
図１０は、本発明のカラー決定処理の流れを示すフローチャートである。
【００７７】
まず、ＣＰＵ１０１は、Ｓ３０１において読み取った解析用読取範囲Ｌの画像データについて、解析用読取範囲Ｌの画像データを解析する（Ｓ２０１）。
【００７８】
次に、ＣＰＵ１０１は、解析用読取範囲Ｌの画像データの解析結果に基づいて、解析用読取範囲Ｌの画像データの種類は写真データであるか判断し（Ｓ２０２）、解析用読取範囲Ｌの画像データの解析結果に基づいて、写真データであると判断した場合（Ｓ２０２：ＹＥＳ）、読取カラーをカラーに決定して（Ｓ４０１）、カラー決定処理を終了する。ここで、Ｓ４０１において読取カラーをカラーに決定するのは、解析用読取範囲Ｌの画像データの解析結果、解析用読取範囲Ｌの画像データの種類が写真データである場合であり、写真データはカラーのものが多いことからである。
【００７９】
一方、ＣＰＵ１０１は、解析用読取範囲Ｌの画像データの解析結果に基づいて、写真データでない、例えば文字データと判断した場合（Ｓ２０２：ＹＥＳ）、読取カラーをモノクロに決定して（Ｓ４０２）、カラー決定処理を終了する。Ｓ４０２において、読取カラーをモノクロに決定するのは、解析用読取範囲Ｌの画像データの解析結果、解析用読取範囲Ｌの画像データの種類が文字データである場合であり、文字データはモノクロのものが多いからである。
【００８０】
（第２の実施形態の効果）
本発明の複合機１によれば、ＣＰＵ１０１は、カラー決定処理において、読取カラーをモノクロにすることが決定され、カラーからモノクロに解像度を変更すると判断した場合（Ｓ３０３：ＹＥＳ）、解析用読取範囲Ｌを読み取った後の解析終了位置Ｋから読取終了位置Ｅまでを原稿読取部４０にカラーで読み取らせるＡルートと、原稿読取部４０を解析終了位置Ｋから読取開始位置Ｓに戻させ、読取開始位置Ｓから読取終了位置Ｅまで原稿読取部４０にモノクロで読み取らせるＢルートと、のどちらが読み取りにかかる読取時間が短くなるか判断し（Ｓ３０４）、読み取りにかかる読取時間が短いルートで原稿読取部４０に原稿１９の読み取りを行わせる。この構成によれば、ＣＰＵ１０１は、カラー読み取りからモノクロ読み取りに読取カラーが変更されると判断した場合に、カラーでＡルートの読み取りにかかる時間とモノクロでＢルートの読み取りにかかる時間とのうち読み取りにかかる時間の短いルートのどちらかが行うこととなり、原稿読取部４０に原稿１９を読み取らせるのにかかる時間を短縮することができる。
【００８１】
（その他の実施形態）
（１）本発明の第１の実施形態では、ＣＰＵ１０１は、解析用読取範囲Ｌを読み取った後の解析終了位置Ｋから読取終了位置Ｅまでを高解像度で原稿読取部４０に読み取らせるＡルートと、原稿読取部４０を解析終了位置Ｋから読取開始位置Ｓに戻し、低解像度で読取開始位置Ｓから読取終了位置Ｅまで原稿読取部４０に読み取らせるＢルートと、のどちらが読み取りにかかる読取時間が短くなるか判断する（Ｓ１０４）。ＣＰＵ１０１は、高解像度でＡルートの読み取りにかかる時間より低解像度でＢルートの読み取りにかかる時間が短くなると判断した場合（Ｓ１０４：ＹＥＳ）、原稿読取部４０を移動速度Ｖｒで読取開始位置Ｓに移動させる（Ｓ１０５）実施形態であった。
【００８２】
しかし、Ｂルートの代わりに、ＣＰＵ１０１は、高解像度でＡルートの読み取りにかかる時間より、Ｓ１０１で原稿読取部４０に高解像度で読み取らせた解析用読取範囲Ｌの画像データを、原稿読取部４０に低解像度で解析用読取範囲Ｌを読み取らせたときに得られる画像品質の画像データに変換させた後、原稿読取部４０に高解像度で原稿１９の読み取らせていない部分である解析終了位置Ｋから読取終了位置Ｅまでの範囲を原稿読取部４０に低解像度で読み取らせる（以下、Ｃルートともいう）他の実施形態であってもよい。
【００８３】
解析用読取範囲Ｌの画像データを低解像度の画像データに変換する処理にかかる時間が長いときには、例えば、ＣＰＵ１０１は、高解像度でＡルートの読み取りにかかる時間より、Ｓ１０１で原稿読取部４０に高解像度で読み取らせた解析用読取範囲Ｌの画像データを、原稿読取部４０に低解像度で解析用読取範囲Ｌを読み取らせたときに得られる画像品質の画像データに変換させた後、原稿読取部４０に高解像度で原稿１９の読み取らせていない部分である解析終了位置Ｋから読取終了位置Ｅまでの範囲を原稿読取部４０に低解像度で読み取らせるのにかかる時間が短くなると判断した場合（Ｓ１０４：ＹＥＳ）、原稿読取部４０に高解像度で読み取らせた解析用読取範囲Ｌの画像データを、原稿読取部４０に低解像度で解析用読取範囲Ｌを読み取らせたときに得られる画像品質の画像データに変換させた後、原稿読取部４０に高解像度で原稿１９の読み取らせていない部分である解析終了位置Ｋから読取終了位置Ｅまでの範囲を原稿読取部４０に低解像度で読み取らせ、自動解像度読取処理を終了する構成とする。
【００８４】
この構成によれば、ＣＰＵ１０１は、高解像度から低解像度に解像度が変更されると判断した場合に、高解像度でＡルートの読み取りにかかる時間と、原稿読取部４０に高解像度で読み取らせた解析用読取範囲Ｌの画像データを、原稿読取部４０に低解像度で解析用読取範囲Ｌを読み取らせたときに得られる画像品質の画像データに変換させた後、原稿読取部４０に高解像度で原稿１９の読み取らせていない部分である解析終了位置Ｋから読取終了位置Ｅまでの範囲を原稿読取部４０に低解像度で読み取らせるＣルートにかかる時間とのうちどちらが読み取りにかかる読取時間が短くなるか判断することとなり、高解像度でＡルートと低解像度でＣルートとのどちらが読み取りにかかる読取時間が短くなるか適切に判断できる。
【００８５】
また、第２の実施形態に適用してもよい。第２の実施形態に適用した場合は、例えば、ＣＰＵ１０１は、Ａルートの読取時間よりＢルートの読取時間が短くなると判断した場合（Ｓ３０４：ＹＥＳ）、Ｓ１０１で原稿読取部４０にカラーで読み取らせた解析用読取範囲Ｌの画像データを、モノクロの画像データに変換させた後、モノクロ読み取りで、原稿読取部４０に原稿１９を読取終了位置Ｅまで読み取らせ（Ｓ１０６）、自動解像度読取処理を終了する構成とする。
【００８６】
一方、解析用読取範囲Ｌの画像データを低解像度の画像データに変換する処理にかかる時間が短いときには、ＣＰＵ１０１は、高解像度から低解像度に解像度が変更されると判断した場合に、高解像度でＡルートの読み取りにかかる時間と、原稿読取部４０に高解像度で読み取らせた解析用読取範囲Ｌの画像データを、原稿読取部４０に低解像度で解析用読取範囲Ｌを読み取らせたときに得られる画像品質の画像データに変換させた後、原稿読取部４０に高解像度で原稿１９の読み取らせていない部分である解析終了位置Ｋから読取終了位置Ｅまでの範囲を原稿読取部４０に低解像度で読み取らせるＣルートにかかる時間とのうちどちらが読み取りにかかる読取時間が短くなるか判断すると、Ｃルートを選択する可能性が高くなる。
【００８７】
なお、Ｃルートが選択されると、Ｂルートが選択される場合と比べて、さらに読み取りにかかる時間を短くすることができる。しかし、原稿読取部４０に低解像度で解析用読取範囲Ｌを読み取らせたときに得られる画像品質の画像データに変換させる方法によっては、原稿読取部４０に高解像度で原稿１９の読み取らせていない部分である解析終了位置Ｋから読取終了位置Ｅまでの範囲と、原稿読取部４０に高解像度で読み取らせた解析用読取範囲Ｌとの境目で、画像品質が問題になる可能性がある。このため、読み取りにかかる時間を短くすることを最優先とするならば、Ｃルートが適しており、読み取りにかかる時間を短くしつつ、画像データの画像品質に配慮するならば、Ｂルートが適しているといえる。
【００８８】
（２）本発明の第１の実施形態では、ＣＰＵ１０１は、読取面１１Ａに配置された原稿１９のうち、解析用読取範囲Ｌを高解像度で原稿読取部４０に読み取らせた後（Ｓ１０１）、解析用読取範囲Ｌを読み取った後の解析終了位置Ｋから読取終了位置Ｅまでの残りの部分を高解像度で原稿読取部４０に読み取らせるＡルートと、原稿読取部４０を解析終了位置Ｋから読取開始位置Ｓに戻させ、低解像度で読取開始位置Ｓから読取終了位置Ｅまで原稿読取部４０に原稿１９を読み取らせるＢルートと、のどちらが読み取りにかかる読取時間が短くなるか判断する（Ｓ１０４）構成であったが、Ｓ１０４の構成を他の実施形態に適用してもよい。
【００８９】
例えば、ＣＰＵ１０１は、解析用読取範囲Ｌを高解像度で原稿読取部４０に読み取らせた後（Ｓ１０１）、判定限界位置を超えているか判断し、判定限界位置を超えている場合には、高解像度で読取終了位置Ｅまで原稿読取部４０に原稿１９を読み取らせ（Ｓ１０７）、自動解像度読取処理を終了する構成にしてもよい。ここで、判定限界位置とは、読取開始位置Ｓに戻って読み取りなおしても、最高解像度で最後まで読み取る時間より、読取時間が短くならない位置である。このような構成によれば、ＣＰＵ１０１は、判定限界位置を超えていると判断した場合には、Ｓ１０４のような各ルートでの読取時間を算出することによる判断をすることなく、高解像度で読取終了位置Ｅまで原稿１９を読み取ることとなり、原稿読取部４０に原稿１９の読み取らせるにかかる時間を短縮することができる。
【００９０】
また、原稿読取範囲Ｙ、高解像度での原稿読取部４０の移動速度Ｖｈ、低解像度での原稿読取部４０の移動速度Ｖｌ、解析終了位置Ｋから読取開始位置Ｓに戻る際の原稿読取部４０の移動速度Ｖｒが固定値であれば、数式１と数式２とを組み合わせた｛（Ｙ−Ｌ）／Ｖｈ｝＝｛Ｌ／Ｖｒ＋Ｙ／Ｖｌ｝の式５により、判定限界位置は、読取開始位置Ｓから１６９．７ｍｍ副走査方向に離れた位置として、一意に決まる。このため、ＣＰＵ１０１は、画像を解析できた時点での読取部４０の位置が１６９．７ｍｍを超えていなければＢルートが速い、１６９．７ｍｍを超えていればＡルートが速いと、いずれのルートが短いか判断するようにしてもよい。なお、原稿の内容等によって原稿読取範囲Ｙ、高解像度での原稿読取部４０の移動速度Ｖｈ、低解像度での原稿読取部４０の移動速度Ｖｌ、解析終了位置Ｋから読取開始位置Ｓに戻る際の原稿読取部４０の移動速度Ｖｒが変わるのであれば、判定限界位置が一意に決まらないので、第１の実施形態のように、ＣＰＵ１０１は、毎回数式を用いて算出する必要がある。
【００９１】
（３）本発明の第１の実施形態では、ＣＰＵ１０１は、読取面１１Ａに配置された原稿１９のうち、図６に示す解析用読取範囲Ｌを高解像度で原稿読取部４０に読み取らせる（Ｓ１０１）実施形態であったが、他の実施形態に置き換えてもよい。
【００９２】
例えば、ＣＰＵ１０１は、原稿１９を読取開始位置Ｓから２０ｍｍ読み取らせ、読み取った画像データに写真、文字等の画像があるか判断し、読み取った画像データに画像がない場合、判定限界位置を超えているか判断する。そして、ＣＰＵ１０１は、判定限界位置を超えていると判断した場合、高解像度で読取終了位置Ｅまで原稿読取部４０に原稿１９を読み取らせ（Ｓ１０７）、自動解像度読取処理を終了する。
【００９３】
一方、ＣＰＵ１０１は、判定限界位置を超えていないと判断した場合は、さらに原稿読取部４０に原稿１９を２０ｍｍ読み取らせ、読み取った画像データに画像があるか判断する。そして、ＣＰＵ１０１は、読み取った画像データに画像があるか、判定限界位置を超えるまで、同様の判断を繰り返えす。
【００９４】
（４）本発明の第１の実施形態では、ＣＰＵ１０１は、ＣＰＵ１０１は、高解像度でＡルートの読み取りにかかる時間より低解像度でＢルートの読み取りにかかる時間が短くなると判断した場合（Ｓ１０４：ＹＥＳ）、原稿読取部４０を移動速度Ｖｒで読取開始位置Ｓに移動させる（Ｓ１０５）実施形態であったが、他の実施形態であってもよい。例えば、読取開始位置Ｓは、原稿１９に画像がはじめて現れたと判断されたラインを再読取開始位置としてもよく、例えば、ＣＰＵ１０１は、解析用読取範囲Ｌを高解像度で原稿読取部４０に読み取らせる際（Ｓ１０１）、原稿読取部４０に１ラインずつ原稿１９を読み取らせるときに画素数が所定量を超えるラインを再読取開始位置として、ＲＡＭ１０３に予め記憶させておく。この構成によれば、再読取開始位置から原稿１９を読み取ることにより、例えば、原稿１９の先頭部分に画像がない場合、原稿読取部４０を読取開始位置Ｓに移動させてから読み取りを行うときに、原稿１９の画像のない部分を読み取らなくて済むこととなり、原稿１９の読み取りにかかる時間を短縮することができる。なお、原稿１９に画像がはじめて現れたかの判断は、１ライン中に所定の画素数以上あったときに、ＣＰＵ１０１が原稿１９に画像がはじめて現れたと判断する。
【００９５】
（５）本発明の第１の実施形態では、解析用読取範囲Ｌとは、ＣＰＵ１０１が原稿読取部４０に読み取らせた原稿１９の画像データが、例えば、写真データであるか、文字データであるかを判断するために、ＣＰＵ１０１が原稿読取部４０に読み取らせる原稿１９の可変の部分であったが、解析用読取範囲Ｌを固定の部分とする実施形態であってもよい。
【００９６】
例えば、読取開始位置Ｓから１００ｍｍまでの範囲を固定の部分として、ＣＰＵ１０１は、解析用読取範囲Ｌの画素数が所定の画素数以上の場合は写真データであると判断し、解析用読取範囲Ｌの画素数が所定の画素数未満の場合は文字データであると判断する。
【００９７】
なお、解析用読取範囲を固定の部分にするよりも可変の部分としたほうが、ＣＰＵ１０１が画像種別を判断できるまでＳ１０１の読み取りを継続させるので、ＣＰＵ１０１が１００ｍｍの固定の部分において画像種別を判断することができなかった場合よりも、画像種別を判断するために解析用読取範囲が広くなることがあり、ＣＰＵ１０１は解析用読取範囲を固定の部分にするよりも可変の部分としたほうがより適切な判断ができる。
【００９８】
（６）本発明の第１の実施形態では、カラー決定処理のＳ２０３における高解像度は、自動解像度読取処理のＳ１０１における高解像度と同じ解像度であったほうがよい。たとえば、解析用読取範囲Ｌの画像データの解析結果、解析用読取範囲Ｌの画像データの種類が写真データである場合、動解像度読取処理のＳ１０１における高解像度が１２００ｄｐｉで、カラー決定処理のＳ２０３における高解像度が６００ｄｐｉであったとすると、１２００ｄｐｉと６００ｄｐｉとが同じ高解像度に属していても、一つの画像データ内で画質にムラがでてしまう可能性がある。しかし、自動解像度読取処理のＳ１０１における高解像度が６００ｄｐｉで、カラー決定処理のＳ２０３における高解像度が６００ｄｐｉであったとすると、一つの画像データ内で画質にムラがでないようなる。
【００９９】
（７）本発明の読取装置は、複合機だけでなく、読取装置単体やＦＡＸ等の装置にも適用できる。
【０１００】
（８）第１の実施形態と第２の実施形態とに分けて説明したが、第１の実施形態と第２の実施形態とを組み合わせた実施形態であってもよい。
【０１０１】
（９）以上、本実施形態のいくつかを図面に基づいて詳細に説明したが、これらは例示であり、当業者の知識に基づいて種々の変形、改良を施した他の形態で本発明を実施することが可能である。
【符号の説明】
【０１０２】
１      複合機
１１Ａ  読取面
１９    原稿
４０    原稿読取部
１０１  ＣＰＵ
１０３  ＲＡＭ
Ｅ      読取終了位置
Ｋ      解析終了位置
Ｌ      解析用読取範囲
Ｓ      読取開始位置
Ｙ      読取範囲
【図１】
2012124734.tif 000003
【図２】
2012124734.tif 000004
【図３】
2012124734.tif 000005
【図４】
2012124734.tif 000006
【図５】
2012124734.tif 000007
【図６】
2012124734.tif 000008
【図７】
2012124734.tif 000009
【図８】
2012124734.tif 000010
【図９】
2012124734.tif 000011
【図１０】
2012124734.tif 000012